(57)【要約】【課題】背面日射による熱が植栽部へ伝達することを抑制できる緑化ブロックを提供する。【解決手段】基本ブロック部１０と緑化基盤材保持部２０とからなり、緑化基盤材保持部２０は上保持部２１と下保持部２２と保持部背面２３とからなり、上保持部２１は側面視前方先端が下方に突出した鉤形であり、下保持部２２は側面視前方先端が上方に突出した鉤形であり、上保持部２１には灌水ホース溝２４が形成されており、下保持部２２には排水溝２５が形成されており、保持部背面２３には空間保持溝２３が形成されている緑化ブロックＡである。緑化基盤材保持部２０に緑化基盤材Ｓを挿入しブロック塀Ｘに植栽を施すことができる。緑化基盤材保持部２０と緑化基盤材Ｓとの接触面積を少なくして空気層を確保することができ、背面日射による熱が緑化基盤材Ｓへ伝達することを抑制できる。【選択図】図１
2011130691.tif 000002
【特許請求の範囲】
【請求項１】
基本ブロック部と該基本ブロック部の正面に設けられた緑化基盤材保持部とからなり、
前記緑化基盤材保持部は上保持部と下保持部と保持部背面とからなり、
前記上保持部は、側面視前方先端が下方に突出した鉤形であり、底面には灌水ホース溝が形成されており、
前記下保持部は、側面視前方先端が上方に突出した鉤形であり、上面には排水溝が形成されており、
前記保持部背面は前記基本ブロック部の正面と一体となっている
ことを特徴とする緑化ブロック。
【請求項２】
基本ブロック部と該基本ブロック部の正面に設けられた緑化基盤材保持部とからなり、
前記緑化基盤材保持部は上保持部と保持部背面とからなり、
前記上保持部は、側面視前方先端が下方に突出した鉤形であり、底面には灌水ホース溝が形成されており、
前記保持部背面は前記基本ブロック部の正面と一体となっている
ことを特徴とする緑化ブロック。
【請求項３】
基本ブロック部と該基本ブロック部の正面に設けられた緑化基盤材保持部とからなり、
前記緑化基盤材保持部は下保持部と保持部背面とからなり、
前記下保持部は、側面視前方先端が上方に突出した鉤形であり、上面には排水溝が形成されており、
前記保持部背面は前記基本ブロック部の正面と一体となっている
ことを特徴とする緑化ブロック。
【請求項４】
前記上保持部の側面に上下に連通する上排水孔が形成されており、
前記下保持部の側面に上下に連通する下排水孔が形成されており、
前記下排水孔は前記排水溝と接続しており、
前記上排水孔は前記下排水孔と平面視同位置に形成されている
ことを特徴とする請求項１記載の緑化ブロック。
【請求項５】
前記排水溝が前記下排水孔に向かって下がる勾配を有する
ことを特徴とする請求項４記載の緑化ブロック。
【請求項６】
前記保持部背面には空間保持溝が形成されている
ことを特徴とする請求項１，２，３，４または５記載の緑化ブロック。
【請求項７】
前記基本ブロック部と前記緑化基盤材保持部が、保水性材料により成形されている
ことを特徴とする請求項１，２，３，４，５または６記載の緑化ブロック。
【請求項８】
前記基本ブロック部に空洞部が形成されており、
該空洞部に断熱材が挿入されている
ことを特徴とする請求項１，２，３，４，５，６または７記載の緑化ブロック。
【請求項９】
請求項１，２，３，４，５，６，７または８に記載の緑化ブロックの緑化基盤材保持部に挿入可能な板状の緑化基盤材であり、
該緑化基盤材の正面上縁が前記緑化基盤材保持部の上保持部の前方先端に係止されるように窪んで成形され、正面下縁が前記緑化基盤材保持部の下保持部の前方先端に係止されるように窪んで成形されることにより、側面視前方に突出した凸型をしている
ことを特徴とする緑化基盤材。
【発明の詳細な説明】
【技術分野】
【０００１】
本発明は、緑化ブロックに関する。さらに詳しくは、ブロック塀として施工でき、かつ植栽が可能な緑化ブロックに関する。
【背景技術】
【０００２】
近年、ヒートアイランド現象の緩和や景観の向上のために、壁面緑化への関心が高まっており、都市部を中心に壁面緑化の施工面積が増加している。
そのため壁面緑化に関する提案が多数なされており、壁面を構成するコンクリートブロックに植栽機能を持たせた緑化ブロックも種々のものが提案されている。
【０００３】
その緑化ブロックの一例として特許文献１に記載の緑化ブロックがある。図１４に示すように、特許文献１に記載の緑化ブロックは、基本ブロック111の一方の面に長手方向に連通する空胴114と、この空胴114の上部側を外部に連通させる窓115と、空胴114の上部に給水パイプ118を設けた構造としたものである。この空洞114に、天然繊維の袋に土壌などを詰めて構成したカセット116が挿入され、カセット116の土壌を利用して植栽することにより、壁面緑化を可能としている。
【０００４】
しかるに、特許文献１に記載の緑化ブロックは、この緑化ブロックを用いて施工されたブロック塀への背面日射による熱の影響を考慮していないため、背面日射により上昇したブロックの熱がカセット116に植栽された植物に伝わり、植物の生育に悪影響を及ぼすという問題がある。
また、給水パイプ118を全てのブロックに設置しなければならないため、施工に手間がかかり、給水設備も煩雑なものとなるうえ、製造コストやメンテナンスコストが高くなるという問題がある。
さらに、空洞114の上部側にしか窓115が設けられていないため、植栽面積が狭いものであるし、その窓115の構造から製造が困難であるという問題がある。
【先行技術文献】
【特許文献】
【０００５】
【特許文献１】特開平１０−３７３７７号公報
【発明の概要】
【発明が解決しようとする課題】
【０００６】
本発明は上記事情に鑑み、背面日射による熱が植栽部へ伝達することを抑制できる緑化ブロックを提供することを目的とする。
【課題を解決するための手段】
【０００７】
第１発明の緑化ブロックは、基本ブロック部と該基本ブロック部の正面に設けられた緑化基盤材保持部とからなり、前記緑化基盤材保持部は上保持部と下保持部と保持部背面とからなり、前記上保持部は、側面視前方先端が下方に突出した鉤形であり、底面には灌水ホース溝が形成されており、前記下保持部は、側面視前方先端が上方に突出した鉤形であり、上面には排水溝が形成されており、前記保持部背面は前記基本ブロック部の正面と一体となっていることを特徴とする。
第２発明の緑化ブロックは、基本ブロック部と該基本ブロック部の正面に設けられた緑化基盤材保持部とからなり、前記緑化基盤材保持部は上保持部と保持部背面とからなり、前記上保持部は、側面視前方先端が下方に突出した鉤形であり、底面には灌水ホース溝が形成されており、前記保持部背面は前記基本ブロック部の正面と一体となっていることを特徴とする。
第３発明の緑化ブロックは、基本ブロック部と該基本ブロック部の正面に設けられた緑化基盤材保持部とからなり、前記緑化基盤材保持部は下保持部と保持部背面とからなり、前記下保持部は、側面視前方先端が上方に突出した鉤形であり、上面には排水溝が形成されており、前記保持部背面は前記基本ブロック部の正面と一体となっていることを特徴とする。
第４発明の緑化ブロックは、第１発明において、前記上保持部の側面に上下に連通する上排水孔が形成されており、前記下保持部の側面に上下に連通する下排水孔が形成されており、前記下排水孔は前記排水溝と接続しており、前記上排水孔は前記下排水孔と平面視同位置に形成されていることを特徴とする。
第５発明の緑化ブロックは、第４発明において、前記排水溝が前記下排水孔に向かって下がる勾配を有することを特徴とする。
第６発明の緑化ブロックは、第１，第２，第３，第４または第５発明において、前記保持部背面には空間保持溝が形成されていることを特徴とする。
第７発明の緑化ブロックは、第１，第２，第３，第４，第５または第６発明において、前記基本ブロック部と前記緑化基盤材保持部が、保水性材料により成形されていることを特徴とする。
第８発明の緑化ブロックは、第１，第２，第３，第４，第５，第６または第７発明において、前記基本ブロック部に空洞部が形成されており、該空洞部に断熱材が挿入されていることを特徴とする。
第９発明の緑化基盤材は、第１，第２，第３，第４，第５，第６，第７または第８発明の緑化ブロックの緑化基盤材保持部に挿入可能な板状の緑化基盤材であり、該緑化基盤材の正面上縁が前記緑化基盤材保持部の上保持部の前方先端に係止されるように窪んで成形され、正面下縁が前記緑化基盤材保持部の下保持部の前方先端に係止されるように窪んで成形されることにより、側面視前方に突出した凸型をしていることを特徴とする。
【発明の効果】
【０００８】
第１発明によれば、基本ブロック部の正面に緑化基盤材保持部が設けられているので、緑化ブロックをブロック塀として施工できるとともに、緑化基盤材保持部に緑化基盤材を挿入し、その緑化基盤材に植物を植えることによりブロック塀に植栽を施すことができる。また、緑化基盤材保持部には灌漑ホース溝、排水溝が形成されているので、緑化基盤材保持部と緑化基盤材との接触面積を少なくして空気層を確保することができ、背面日射により上昇した緑化ブロックの熱が緑化基盤材へ伝達することを抑制できるうえ、緑化基盤材を空気に触れさせることで、緑化基盤材に植栽された植物の根の呼吸を促進することができる。さらに、上保持部の底面に灌水ホース溝が形成されているので、灌水ホース溝に灌水ホースを設置することができ、緑化基盤材に水を供給することができる。
第２発明によれば、基本ブロック部の正面に上保持部が設けられているので、緑化ブロックをブロック塀の最上段に施工すれば、この上保持部と下段の緑化ブロックの下保持部との間に緑化基盤材を挿入し、その緑化基盤材に植物を植えることによりブロック塀に植栽を施すことができる。
第３発明によれば、基本ブロック部の正面に下保持部が設けられているので、緑化ブロックをブロック塀の最下段に施工すれば、この下保持部と上段の緑化ブロックの上保持部との間に緑化基盤材を挿入し、その緑化基盤材に植物を植えることによりブロック塀に植栽を施すことができる。
第４発明によれば、下排水孔が排水溝と接続しているので、灌水ホースから供給された水は排水溝を流れて下排水孔から下方に排水することができる。また、上排水孔は下排水孔と平面視同位置に形成されているので、緑化ブロックを上下に施工すれば、上段の緑化ブロックの下排水孔と下段の緑化ブロックの上排水孔とが接続し、上段の緑化ブロックから排水された水が下段の緑化ブロックに供給される。そのため、灌水ホースを上段の緑化ブロックに設置するだけで、下段の緑化ブロックにも水を供給することができるので、ブロック塀の施工が容易であり、給水設備も簡易なものとすることができる。
第５発明によれば、排水溝が下排水孔に向かって下がる勾配を有するので、灌水ホースから供給された水を素早く下排水孔に排水することができる。
第６発明によれば、緑化基盤材保持部には灌漑ホース溝、排水溝に加えて、空間保持溝が形成されているので、緑化基盤材保持部と緑化基盤材との接触面積を少なくして空気層を確保することができ、背面日射により上昇した緑化ブロックの熱が緑化基盤材へ伝達することを抑制できるうえ、緑化基盤材を空気に触れさせることで、緑化基盤材に植栽された植物の根の呼吸を促進することができる。
第７発明によれば、基本ブロック部も緑化基盤材保持部も保水性材料により成形されているので、灌水ホースから供給された水が緑化ブロックに染み渡り、その水分の気化熱により緑化ブロックの温度上昇を抑制することができ、緑化基盤材への熱の伝達を抑え植物への熱の影響を少なくできる。
第８発明によれば、基本ブロック部に形成された空洞部に断熱材が挿入されているので、背面日射により上昇した緑化ブロック背面の熱が、緑化ブロック正面に保持されている緑化基盤材へ伝達することを抑制することができる。
第９発明によれば、緑化基盤材の正面上縁と正面下縁とが緑化基盤材保持部に係止されるように窪んで成形されているので、緑化基盤材はその正面上縁と正面下縁とで緑化基盤材保持部に係止され脱落することがない。また、緑化基盤材は側面視前方に突出した凸型をしているので、上保持部の前方先端と下保持部の前方先端との間にも緑化基盤材が挟まるようになり、下保持部の足がかりを小さくし、ブロック塀の防犯性を高くすることができる。
【図面の簡単な説明】
【０００９】
【図１】本発明の第１実施形態に係る緑化ブロックＡに緑化基盤材Ｓを挿入した場合の右側面図である。
【図２】同緑化ブロックＡの右側面図である。
【図３】同緑化ブロックＡの左側面図である。
【図４】同緑化ブロックＡの正面図である。
【図５】同緑化ブロックＡの平面図である。
【図６】緑化ブロックＡで施工したブロック塀Ｘの正面図である。
【図７】同ブロック塀Ｘの右側面図である。
【図８】同ブロック塀Ｘの平面図である。
【図９】緑化ブロックＡに側面視長方形の緑化基盤材Ｓを挿入し、緑化基盤材Ｓの前面にメッシュＭを挿入した場合の右側面図である。
【図１０】本発明の第２実施形態に係る緑化ブロックＢの右側面図である。
【図１１】本発明の第３実施形態に係る緑化ブロックＣの右側面図である。
【図１２】本発明の第４実施形態に係る緑化ブロックＤの右側面図である。
【図１３】緑化ブロックＢ，Ｃ，Ｄで施工したブロック塀Ｙの右側面図である。
【図１４】従来技術の緑化ブロックの斜視図である。
【発明を実施するための形態】
【００１０】
つぎに、本発明の実施形態を図面に基づき説明する。
（第１実施形態）
図１から図５に示すように、本発明の第１実施形態に係る緑化ブロックＡは、主に基本ブロック部１０とその正面に設けられた緑化基盤材保持部２０とからなる。
基本ブロック部１０は外形的には直方体である。特許請求の範囲に記載の「基本ブロック」には、塀用ブロックや擁壁用ブロックなど、積み上げて固定する種々のブロックが含まれるが、本実施形態では塀用ブロックを用いている。本実施形態の基本ブロック部１０はその上下面および左右側面に半円形の溝が形成されている。この溝は、緑化ブロックＡをブロック塀として施工する際に、鉄筋を通してモルタルやコンクリートを充填するなどしてブロック塀を強固にするためのものである。
【００１１】
図３および図５に示すように、基本ブロック部１０の中央には空洞部１１が形成されており、その空洞部１１は基本ブロック部１０の左側面に開口し、右側壁に向って形成されている。右側壁では数ｃｍ位の壁を残してもよく、右側面まで貫通してもよい。そして、この開口から、空洞部１１に発泡成形材などの断熱材が挿入できるようになっている。
【００１２】
緑化基盤材保持部２０も外形的には直方体であり、正面視において基本ブロック部１０と同一の寸法を有している。緑化基盤材保持部２０は上保持部２１と下保持部２２と保持部背面２３とからなる。上保持部２１は、側面視において前方先端が下方に突出した鉤形であり、基本ブロック部１０の正面上縁に設けられている。一方、下保持部２２は、側面視において前方先端が上方に突出した鉤形であり、基本ブロック部１０の正面下縁に設けられている。また、保持部背面２３は基本ブロック部１０の正面と一体となっている。すなわち、緑化基盤材保持部２０全体では側面視Ｃ字型をしており、おおよそ上下対称の形状をしている。
【００１３】
上保持部２１および下保持部２２は緑化ブロックＡの幅方向に水平な板状となっており、上保持部２１の上面および下保持部２２の底面は平面となっている。そして、緑化ブロックＡの正面視では、上部に上保持部２１の前方先端面が、下部に下保持部２２の前方先端面が位置し、それらの中間は緑化基盤材保持部２０内部が外側と連通するように開かれた形状となっている。
また、緑化基盤材保持部２０の左右両側面には壁面などが設けられておらず、緑化ブロックＡの幅方向においても緑化基盤材保持部２０内部が外側と連通するように開かれた形状となっている。
【００１４】
上保持部２１の底面には灌水ホース溝２４が緑化ブロックＡの幅方向に沿って形成されており、後述する灌水ホースＨを挿入できるようになっている。一方、下保持部２２の上面には排水溝２５が緑化ブロックＡの幅方向に沿って形成されている。また、保持部背面２３には２本の空間保持溝２６が緑化ブロックＡの幅方向に沿って形成されている。すなわち、緑化基盤材保持部２０の内側には灌水ホース溝２４、排水溝２５、空間保持溝２６の多数の溝が形成されている。
なお、本実施形態では、空間保持溝２６を２本としているが、これを１本としてもよいし、より多数本としてもよい。
【００１５】
図３に示すように、上保持部２１の側面には上下に連通する上排水孔２７が形成されており、下保持部２２の側面にも上下に連通する下排水孔２８が形成されている。
本実施形態では、上排水孔２７および下排水孔２８は、それぞれ上保持部２１および下保持部２２の左側面にのみ溝状に形成されており、緑化ブロックＡを横並びに施工すると、隣り合う緑化ブロックＡの一方の上排水孔２７および下排水孔２８と他方の上保持部２１および下保持部２２の右側面とで、上下に連通する孔が構成されるようになっている。
また、下排水孔２８は排水溝２５と接続しており、排水溝２５はその下排水孔２８に向かって下がる勾配を有している。
【００１６】
さらに、図５に示すように、上排水孔２７は下排水孔２８と平面視同位置に形成されている。そのため、緑化ブロックＡを上下に施工すれば、上段の緑化ブロックＡの下排水孔２８と下段の緑化ブロックＡの上排水孔２７とが接続するようになっている。
【００１７】
図６から図８に示すように、上記形状を有する緑化ブロックＡを縦横に並べることによりブロック塀Ｘとして施工することができる。ブロック塀Ｘとして施工する際には、基本ブロック部１０の上下面および左右側面に形成された半円形の溝に鉄筋を通してモルタルやコンクリートを充填するなどしてブロック塀Ｘを強固にする。このとき、空洞部１１には断熱材が挿入されているので、空洞部１１にモルタルなどが侵入することはなく、基本ブロック部１０の内部に断熱材が封入されるようになる。
【００１８】
緑化ブロックＡを横並びに施工すると、隣り合う緑化基盤材保持部２０同士が連結し、ブロック塀Ｘの幅方向に連続した長尺の緑化基盤材保持部２０が形成される。この緑化基盤材保持部２０には緑化基盤材Ｓを挿入することができる。
【００１９】
緑化基盤材Ｓとしては、形状保持性のある土壌が用いられ、例えば特開２００５−１０２５７８号公報に記載された緑化用資材が用いられる。
緑化基盤材Ｓは緑化基盤材保持部２０に挿入できるように成形されている。具体的には緑化基盤材Ｓは板状をしており、図１に示すように、側面視において、緑化基盤材Ｓの正面上縁が上保持部２１の前方先端に係止されるように窪んで成形されるとともに、正面下縁が下保持部２２の前方先端に係止されるように窪んで成形され、前方に突出した凸型に成形されている。なお、図６に示すように、緑化基盤材Ｓの幅寸法は緑化ブロックＡの幅寸法に関係なく、それより長くても、短くても良い。これは、前述のとおり、ブロック塀Ｘとして施工した場合には、隣り合う緑化ブロックＡの緑化基盤材保持部２０同士が連結し、幅方向に連続した長尺の緑化基盤材保持部２０が形成されるからである。
【００２０】
この緑化基盤材Ｓを緑化基盤材保持部２０に挿入し、その緑化基盤材Ｓに植物を植えることによりブロック塀Ｘに植栽を施すことができる。このとき、緑化基盤材Ｓは緑化基盤材保持部２０の側面から挿入してもよいし、緑化基盤材Ｓとして弾力性のあるものを用いれば、緑化基盤材保持部２０の正面から挿入することもできる。
緑化基盤材Ｓは正面上縁と正面下縁とが上保持部２１および下保持部２２に係止されるように窪んで成形されているので、緑化基盤材Ｓは正面上縁と正面下縁とで緑化基盤材保持部２０に係止され、別途固定部材などを使用せずとも、緑化基盤材保持部２０から脱落することがない。
【００２１】
また、図１に示すように、緑化基盤材Ｓは側面視前方に突出した凸型をしているので、上保持部２１の前方先端と下保持部２２の前方先端との間にも緑化基盤材Ｓが挟まった状態となり、下保持部２２の前方先端面と緑化基盤材Ｓの前面との間の足がかりａが小さくなる結果、ブロック塀Ｘの防犯性を高くすることができる。
【００２２】
なお、図９に示すように、緑化基盤材Ｓを側面視長方形に成形し、これを緑化基盤材保持部２０に挿入した実施形態としてもよい。また、緑化基盤材Ｓの前面に線材で構成されたメッシュＭを挿入することにより緑化基盤材Ｓの土壌が流出したり、緑化基盤材Ｓ自体が脱落しないようにしてもよい。
【００２３】
図７に示すように、ブロック塀Ｘの最上段の緑化ブロックＡには、灌水ホース溝２４に灌水ホースＨが挿入される。したがって、灌水ホースＨは最上段の緑化基盤材Ｓの上方に位置することになる。
灌水ホースＨは、金属製やゴム製などのホースであり、一定間隔で点滴穴３０が設けられており、灌水ホースＨに水を通すと点滴穴３０から水が滴下されるようになっている。
【００２４】
図６に示すように、灌水ホースＨの点滴穴３０から滴下された水は、まず最上段の緑化基盤材Ｓに供給される。そして緑化基盤材Ｓから下方に透過した水は排水溝２５を流れ、下排水孔２８から下方に排水される。このとき、排水溝２５は下排水孔２８に向かって下がる勾配を有するので、排水溝２５を流れる水を素早く下排水孔２８に排水することができる。そして、前述の通り上段の緑化ブロックＡの下排水孔２８と下段の緑化ブロックＡの上排水孔２７とは接続されているので、上段の緑化ブロックＡから排水された水は下段の緑化ブロックＡの緑化基盤材Ｓに供給される。
このように、最上段から下段に向かって順々に水が供給されるようになっているため、灌水ホースＨは全段に設置する必要がなく、最上段と、必要に応じて一部の段の緑化ブロックＡに設置するだけでよく、その結果ブロック塀Ｘの施工が容易となり、給水設備も簡易なものとすることができる。
【００２５】
図１に示すように、緑化基盤材保持部２０には灌漑ホース溝２４、排水溝２５、空間保持溝２６が形成されているので、緑化基盤材保持部２０と緑化基盤材Ｓとの接触面積を少なくするとともに、両者の間に空気層を確保することができる。そのため、ブロック塀Ｘへの背面日射により上昇した緑化ブロックＡの熱が緑化基盤材Ｓへ伝達することを抑制することができる。そして、緑化基盤材Ｓを空気に触れさせることができるので、緑化基盤材Ｓに植栽された植物の根の呼吸を促進することができる。
【００２６】
また、前述の通り基本ブロック部１０の内部に断熱材が封入されているので、この断熱材においても、背面日射により上昇した緑化ブロックＡ背面の熱が、緑化ブロックＡ正面に保持されている緑化基盤材Ｓへ伝達することを抑制することができる。
【００２７】
さらに、緑化ブロックＡを保水性材料により成形すれば、灌水ホースＨから供給された水が緑化ブロックＡに染み渡り、その水分の気化熱により緑化ブロックＡの温度上昇を抑制することができ、緑化基盤材Ｓへの熱の伝達を抑え植物への熱の影響を少なくできるので好適である。
保水性材料としては、例えば、多孔質天然砕石、多孔質セラミック粒状物、コンクリートに単一粒度の骨材を配合することで微細な密隙を成形するコンクリート骨材としての使用材料などを用いることができる。
【００２８】
（第２実施形態）
図１０に示すように、本発明の第２実施形態に係る緑化ブロックＢは、第１実施形態の緑化ブロックＡにおいて、上保持部２１と下保持部２２が緑化基盤材保持部２０の上下中央に設けられた形状をしている。
より詳細には、下保持部２２は上保持部２１の上部に位置し、下保持部２２の底面と上保持部２１の上面とが一体となるように形成されている。その結果、上保持部２１と下保持部２２とを合わせれば側面視Ｔ字型をしている。その余の構成は緑化ブロックＡと同様であるので、同一部材に同一符号を付して説明を省略する。
【００２９】
（第３実施形態）
図１１に示すように、本発明の第３実施形態に係る緑化ブロックＣは、第１実施形態の緑化ブロックＡの上下中央から上半分のみの形状をしている。
より詳細には、基本ブロック部１０および緑化基盤材保持部２０共に、緑化ブロックＡの半分の高さであり、緑化基盤材保持部２０は上部保持部２１と保持部背面２３とからなり、下保持部２２がない。その余の構成は緑化ブロックＡと同様であるので、同一部材に同一符号を付して説明を省略する。
【００３０】
（第４実施形態）
図１２に示すように、本発明の第４実施形態に係る緑化ブロックＤは、第１実施形態の緑化ブロックＡの上下中央から下半分のみの形状をしている。
より詳細には、基本ブロック部１０および緑化基盤材保持部２０共に、緑化ブロックＡの半分の高さであり、緑化基盤材保持部２０は下部保持部２２と保持部背面２３とからなり、上保持部２１がない。その余の構成は緑化ブロックＡと同様であるので、同一部材に同一符号を付して説明を省略する。
【００３１】
図１３に示すように、上記緑化ブロックＢ，Ｃ，Ｄを用いてブロック塀Ｙを施工することができる。ブロック塀Ｙは、最上段が緑化ブロックＣ、最下段が緑化ブロックＤ、それ以外の段が緑化ブロックＢで構成される。ブロック塀Ｙの施工も第１実施形態に係るブロック塀Ｘと同様に、基本ブロック部１０の上下面および左右側面に形成された半円形の溝に鉄筋を通してモルタルやコンクリートを充填することにより行われる。
【００３２】
ブロック塀Ｙでは、最上段の緑化ブロックＣの上保持部２１と、その下段の緑化ブロックＢの下保持部２２との間に緑化基盤材Ｓが挿入できるようになる。また、最下段の緑化ブロックＤの下保持部２２と、その上段の緑化ブロックＢの上保持部２１との間に緑化基盤材Ｓが挿入できるようになる。さらに、上下に積み上げられた緑化ブロックＢにおいて、上段の緑化ブロックＢの上保持部２１と下段の緑化ブロックＢの下保持部２２との間にも緑化基盤材Ｓが挿入できるようになる。
【００３３】
このように、緑化基盤材Ｓを挿入し、その緑化基盤材Ｓに植物を植えることによりブロック塀Ｙに植栽を施すことができる。また、ブロック塀Ｙは、ブロック塀Ｘが有する他の効果も同様に奏することができる。
【符号の説明】
【００３４】
Ａ，Ｂ，Ｃ，Ｄ  緑化ブロック
Ｓ              緑化基盤材
Ｈ              灌水ホース
Ｍ              メッシュ
Ｘ，Ｙ          ブロック塀
１０            基本ブロック部
１１            空洞部
２０            緑化基盤材保持部
２１            上保持部
２２            下保持部
２３            保持部背面
２４            灌水ホース溝
２５            排水溝
２６            空間保持溝
２７            上排水孔
２８            下排水孔
３０            点滴穴
【図１】
2011130691.tif 000003
【図２】
2011130691.tif 000004
【図３】
2011130691.tif 000005
【図４】
2011130691.tif 000006
【図５】
2011130691.tif 000007
【図６】
2011130691.tif 000008
【図７】
2011130691.tif 000009
【図８】
2011130691.tif 000010
【図９】
2011130691.tif 000011
【図１０】
2011130691.tif 000012
【図１１】
2011130691.tif 000013
【図１２】
2011130691.tif 000014
【図１３】
2011130691.tif 000015
【図１４】
2011130691.tif 000016